(57)【要約】【課題】本発明は、フレキシブル基板の多層化に対応する一方で、フレキシブル基板の厚さが厚くならないようにして、柔軟性および回転機構の信頼性を保持し、サイズ増大を抑制したカメラ・モジュールと、このカメラ・モジュールを備えた電子機器を提供する。【解決手段】カメラ・モジュールＭとして、両端が閉塞する筒体からなり周面にカメラレンズ６を備えた筐体５と、この筐体内に取付け固定されるカメラ基板１１と、このカメラ基板にフレキシブル基板１０の一端部が接続され、かつ他端部は筐体から延出されるとともに、ゼンマイ状に巻き付けられ、フレキシブル基板は、それぞれが独立して２枚以上に分割された第１のフレキシブル基板１０Ａと第２のフレキシブル基板１０Ｂとからなる。【選択図】　　図２
2004029652.tif 000002
【特許請求の範囲】
【請求項１】
両端が閉塞する筒体からなり、その周面にカメラレンズを備えた筐体と、
この筐体内に取付け固定されるカメラ基板と、
このカメラ基板に一端部が接続され、かつ他端部は筐体から延出されるとともに、ゼンマイ状に巻き付けられるフレキシブル基板とを具備し、
上記フレキシブル基板は、それぞれが独立して２枚以上に分割された第１のフレキシブル基板と第２のフレキシブル基板とからなることを特徴とするカメラ・モジュール。
【請求項２】
上記第１のフレキシブル基板は２層基板として、ライン状パターンにより信号配線、電源パターンもしくはグランドパターンが形成され、
上記第２のフレキシブル基板にはグランドパターンもしくは電源パターンが設けられており、
第１のフレキシブル基板と第２のフレキシブル基板とを互いに平行にして巻き付けられることにより、所定の断面において第１のフレキシブル基板と第２のフレキシブル基板とが交互に介在することを特徴とする特許請求の範囲１記載のカメラ・モジュール。
【請求項３】
上記請求項１のカメラ・モジュールを回動自在に備えたことを特徴とする電子機器。
【発明の詳細な説明】
【０００１】
【発明の属する技術分野】
本発明は、カメラ・モジュールと、このカメラ・モジュールを備えた、たとえば携帯電話などの電子機器に関する。
【０００２】
【従来の技術】
近年、電子的に撮影処理をなすカメラ・モジュールと、このカメラ・モジュールを備えた、たとえば携帯電話などの電子機器が多用される。
上記カメラ・モジュールは、携帯電話の操作面にカメラレンズを位置して、操作面と正対する方向の撮影を可能とするばかりでなく、操作面の上方側あるいは操作面とは反対側の裏面側にカメラレンズを対向可能なように回動自在に支持されている。
【０００３】
上記カメラ・モジュールの構成は、両側端に回転軸が突設される円筒状もしくは多角形状の筐体内に、通常の剛性を有する（リジッドな）プリント基板であるカメラ基板が取付け固定される。
そして、このカメラ基板に柔軟性を有するフレキシブル基板の一端部が接続されていて、フレキシブル基板の他端部は筐体から延出し電話本体の回路基板に電気的に接続される。換言すれば、上記フレキシブル基板が電話本体側の回路基板とカメラ側のカメラ基板とを電気的に接続するリードの機能を有する。
【０００４】
このようにして構成されるカメラ・モジュールを回動自在とするため、上記フレキシブル基板は、筐体内から筐体外部に引き出した後に筐体端部に突設した回転軸に対して複数回、ゼンマイ状に巻回されたうえで電話本体の回路基板まで延出される。
カメラ・モジュールのカメラレンズが携帯電話の操作面側に位置するとき、上記フレキシブル基板の巻回部分は略密に締まった状態にある。そして、カメラレンズを裏面側に回動すると、フレキシブル基板の巻回部分が伸展して相互の間隔が大になる。
【０００５】
【発明が解決しようとする課題】
ところで、上記カメラ・モジュールにおいても携帯電話に搭載される以上、より小型化が求められることは言うまでもない。その対策の一環として、フレキシブル基板の幅寸法をより小さくすること、および／もしくは、巻径を小さくすることが考えられる。
従来のフレキシブル基板は、柔軟な絶縁層を構成するシートの一面側に、もしくは両面側にメタル層からなる信号パターン等が形成されている。基本的に、電気的な信号を確実に通す必要があり、そのためにはラインの数を増やしたり、グランド（以下、ＧＮＤと言う）の面積を大にしなければならない。
【０００６】
特に、上記フレキシブル基板におけるＧＮＤのインピーダンス低下を図り、ノイズの発生を極端に制限する高い耐ノイズ性が求められている。しかしながら、カメラ・モジュールのレイアウト上の制約で、ＧＮＤパターンを強化することができないのが現状である。
すなわち、カメラ・モジュールの小型化を保持するためフレキシブル基板の幅寸法を変えないことを前提として、フレキシブル基板のＧＮＤ強化を得ようとすると、フレキシブル基板の断面積を増やすことで対処しなければならない。
【０００７】
結果的に、フレキシブル基板の配線層数を増加できるが、同時に基板の厚さが増大してしまう。柔軟性が求められるフレキシブル基板であるので、基板厚さの増大は柔軟性の低下を招く不具合に繋がる。
また、フレキシブル基板の基板厚さが増大すれば当然、巻き径が増大する。巻き径の現状を維持できなくなり、回転機構の信頼性の低下を招き、カメラレンズの円滑な回動が阻害される。
【０００８】
その一方で、フレキシブル基板の幅寸法を拡大して対処すると、ＧＮＤの強化を得られる反面、カメラ・モジュールのサイズの増大に繋がってしまい、小型化を得られなくなる。
本発明は上記事情に着目してなされたものであり、その目的とするところは、フレキシブル基板の多層化に対応する一方で、フレキシブル基板の厚さが厚くならないようにして、柔軟性および回転機構の信頼性を保持し、サイズ増大を抑制したカメラ・モジュールと、このカメラ・モジュールを備えた電子機器を提供しようとするものである。
【０００９】
【課題を解決するための手段】
上記課題を解決し目的を達成するために、本発明のカメラ・モジュールは、両端が閉塞する筒体からなり周面にレンズを備えた筐体と、この筐体内に取付け固定されるカメラ基板と、このカメラ基板にフレキシブル基板の一端部が接続され、かつ他端部は筐体から延出されるとともに、ゼンマイ状に巻き付けられ、上記フレキシブル基板は、それぞれが独立して２枚以上に分割された第１のフレキシブル基板と第２のフレキシブル基板とからなる。
【００１０】
さらに、第１のフレキシブル基板は２層基板として、ライン状パターンにより信号電線、電源パターンもしくはグランドパターンが形成され、第２のフレキシブル基板にはグランドパターンもしくは電源パターンが設けられており、第１のフレキシブル基板と第２のフレキシブル基板とを互いに平行にして巻き付けられることにより、所定の断面において第１のフレキシブル基板と第２のフレキシブル基板とが交互に介在する。
さらに、本発明の電子機器は、上述したカメラ・モジュールを回動自在に備えたことを特徴とする。
【００１１】
【発明の実施の形態】
図１はカメラ・モジュールを備えた電子機器である携帯電話の外観図、図２はカメラ・モジュールの斜視図、図３（Ａ）（Ｂ）はカメラ・モジュールの概略の断面図である。
上記携帯電話は、電話本体１の表面下部に複数のキー釦を備えた操作部２が設けられ、この操作部と並んで液晶画面からなる表示部３が設けられている。さらに、表示部３の上端には後述するカメラ・モジュールＭが設けられている。
【００１２】
このカメラ・モジュールＭは、軸方向を電話本体１の上端縁に沿わせ、両端が閉塞された円筒状の筐体５を備えている。この筐体５の周面一部に、カメラレンズ６が嵌め込まれたレンズホルダ７が一体に設けられる。
上記筐体５の両側端面には円筒状のホルダ８ａ，８ｂが一体に形成されていて、電話本体１に設けられるホルダ受け部（図示しない）に所定角度の範囲内で回動自在に支持される。一方側のホルダ８ｂにはフレキシブル基板１０が延出される。
【００１３】
一方、カメラ・モジュールＭを構成する筐体５内には、通常の剛性のある（リジッドな）プリント基板であるカメラ基板１１が収容され、適宜な手段で取付け固定される。
このカメラ基板１１の一面側にはＣＭＯＳセンサーやＣＣＤ等の撮像素子１２が実装されるとともに、必要な回路パターンが形成される。また、カメラ基板１１の他方の面にはコネクタ１３を介して上記フレキシブル基板１０が取付けられる。
【００１４】
上記フレキシブル基板１０は、ここでは互いに重ね合わされる第１のフレキシブル基板１０Ａと、第２のフレキシブル基板１０Ｂとから構成される。それぞれのフレキシブル基板１０Ａ，１０Ｂは、幅寸法と比較して長手寸法が極端に長く形成される。
その大部分は、柔軟性を有するフレキシブル部Ｆであり、このフレキシブル部の両側端に剛性のある（リジッドな）端子部Ｔが設けられる。上記フレキシブル部Ｆを介して両側端の端子部Ｔは互いに電気的に接続されている。
【００１５】
回転軸に対してフレキシブル基板１０を巻いたイメージを図２（Ｂ）に示す。Ｔ１はカメラ基板１１と接続する側のリジッド端子部、Ｔ２は電話機本体１の回路基板（図示しない）側と接続するリジッド端子部であり、Ｆ１はカメラの回転軸方向に接続するフレキシブル部、Ｆ２はカメラ回転軸に取付けるフレキシブル部である。
図に示すように、カメラ回転軸と巻き付ける方向は直交する方向にあるところから、フレキシブル部Ｆ１とＦ２の間に９０°のコーナー部を設ける必要がある。
【００１６】
図２（Ｃ）はフレキシブル部をＦ１とＦ２との間に９０°のコーナー部を設けることで、図２（Ｄ）はストレートなフレキシブル部Ｆを図中破線で示した部分で折ることでＦ１とＦ２を直交させた例である。
上記第１、第２のフレキシブル基板１０Ａ，１０Ｂの一方側の端子部Ｔは、互いに重ね合わされ電気的に接続された状態で、上記コネクタ１３に取付けられる（なお、図３では、第１、第２のいずれかのフレキシブル基板と端子部のみしか図示していない）。したがって、カメラ基板１１と第１、第２のフレキシブル基板１０Ａ，１０Ｂは互いに電気的に導通状態にある。
【００１７】
第１、第２のフレキシブル基板１０Ａ，１０Ｂのそれぞれのフレキシブル部Ｆは互いに重ね合わされ、かつゼンマイ状に数回巻き付けられたうえで、上記フレキシブル基板カバー９の欠落部分から突出する。
そして、上記フレキシブル基板カバー９の欠落部分から突出するフレキシブル部Ｆの先端に取付けられる端子部Ｔは、上記電話本体１に備えられる回路基板（図示しない）に実装され、その結果、カメラ基板１１と回路基板は第１、第２のフレキシブル基板１０Ａ，１０Ｂを介して電気的に接続されることになる。
【００１８】
図４（Ａ）（Ｂ）は、第１のフレキシブル基板１０Ａおよび第２のフレキシブル基板１０Ｂの平面図と断面図であり、それぞれの基板構成を説明するための図である。したがって、ここでは両端の端子部Ｔおよびフレキシブル部Ｆ１とＦ２の間に設けられる９０°のコーナー部は省略し、フレキシブル部Ｆがフレキシブル基板１０Ａ，１０Ｂを表現している。
第１、第２のフレキシブル基板１０Ａ，１０Ｂは互いに独立したパターン（回路）を備えていて、同一の幅寸法と、同一の長さ寸法のものを重ね合わせて巻回される。
【００１９】
上記第１のフレキシブル基板１０Ａは、たとえばポリイミド樹脂材シートからなる絶縁層ａの両面に信号パターンｂがライン状に形成されている。上記信号パターンｂは、絶縁層ａの幅方向に複数条（３条）形成され、長手方向に沿って互いに並行して設けられる。
上記第２のフレキシブル基板１０Ｂは、たとえばポリイミド樹脂材シートからなる絶縁層ａの下面側にのみＧＮＤパターンｃが設けられている。このＧＮＤパターンｃは、メッシュ状であってもよく、ベタ状であってもよく、あるいはライン状に形成されていてもよい。
【００２０】
上述したように、上記第１、第２のフレキシブル基板１０Ａ，１０Ｂは互いに幅寸法と長さ寸法が同一であり、両端の端子部Ｔがカメラ基板１１と回路基板に接続固定され、これら端子部Ｔ相互間のフレキシブル部Ｆが互いに重ね合わされ、かつ拘束されることなくゼンマイ状に巻回状態にある。
図５（Ａ）は巻回状態にある第１、第２のフレキシブル基板１０Ａ，１０Ｂを回転軸方向から見たときの概略の正面図、図５（Ｂ）は図５（Ａ）のｉ−ｉ’線に沿う断面図である。互いのフレキシブル基板１０Ａ，１０Ｂがゼンマイ状に巻回されているので、所定の断面部位では互いのフレキシブル基板の断面部位が互いに介在している。
【００２１】
フレキシブル基板の信号パターン、たとえば図５（Ｂ）に示す第１のフレキシブル基板の特定部位である１０Ａ２を例にすると、第１のフレキシブル基板の１０Ａ２部位の信号パターン１１０Ａ２と、１０Ａ２の上側、下側の位置となる第１のフレキシブル基板の１０Ａ１，１０Ａ３の部位の信号パターン１１０Ａ１，１１０Ａ３の間には第２のフレキシブル基板の１０Ｂ２、１０Ｂ３の部位のＧＮＤパターン１１０Ｂ２，１１０Ｂ３が存在する構成となる。
このように第１のフレキシブル基板のすべての部位の信号パターンの少なくとも上側、もしくは下側にリファレンスとなるＧＮＤが近接して存在するために、信号パターンとＧＮＤの電気的結合が増大し、配線定数、すなわち容量やインダクタンスの値が安定化する。
【００２２】
さらに、ＧＮＤパターンにより上下方向に異なる部位にある信号パターン間の容量的結合、誘導的結合が大幅に低減するところから、フレキシブル基板で発生するノイズを大幅に低減させることが可能となる。
さらに、ＧＮＤパターンの断面積を増大させることができるため、ＧＮＤインピーダンスの低減効果、すなわちＧＮＤに発生するノイズを低減させるという効果もある。
【００２３】
また、フレキシブル基板１０を２分割したので、トータルとして断面積を増大させることができ、必要なパターンの配置を確保できる。個々のフレキシブル基板１０Ａ，１０Ｂの厚みを増やすことなく配線層数を増加せしめ、柔軟性を確保し、巻径の現状維持を図って回転機構の信頼性の向上を得られる。
なお、上記実施の形態においては、第１のフレキシブル基板１０Ａを２層基板構造として、絶縁層ａの両面に信号パターンｂを設けるようにしたが、これに限定されるものではなく、たとえば電源パターンもしくはＧＮＤパターンを設けるようにしてもよい。
【００２４】
上記第２のフレキシブル基板１０Ｂを１層基板構造として、絶縁層ａの片面（たとえば下面）にＧＮＤパターンｃを設けるようにしたが、これに限定されるものではなく、絶縁層ａの上面あるいは下面に導体パターンを有する１層基板構造或いは絶縁層ａの両面に導体パターンを有する２層基板構造として、ベタ、或いはメッシュパターン等で面状のＧＮＤパターン、あるいは電源パターンを形成してもよい。
また、第１、第２のフレキシブル基板１０Ａ，１０Ｂのフレキシブル部Ｆは互いに自由状態としたが、これに限定されるものではなく、部分的に接着剤もしくは両面テープを用いて固定し、
２枚重ねた第１と第２のフレキシブル基板１０Ａ，１０Ｂの位置が横方向、および縦（長さ）方向にずれるのを防止するようにしてもよい。
また、図６〜図９に示すように、柔軟性を有するフレキシブル部Ｆと柔軟性が無い（リジッドな）端子部Ｔを一体成形した第１、第２のフレキシブル基板であって、各端子部Ｔを共通のものとしてもよい。
なお、図６〜図９は、全てフレキシブル部Ｆ１とＦ２の間に９０°のコーナー部を設けない図２（Ｄ）の形式で表現しているが、これに限定されるものではなく、図２（Ｃ）に示したフレキシブル部Ｆ１とＦ２に９０°のコーナー部を設けた形状としてもよい。
【００２５】
具体的には、以下に述べるようになる。
図６（Ｃ）に示すように、両端の端子部Ｔとフレキシブル部Ｆから構成される第１のフレキシブル基板１０Ａａと第２のフレキシブル基板１０Ｂａを個別に製作し、図６（Ａ）に示すように、第１のフレキシブル基板１０Ａａの端子部Ｔ下面と第２のフレキシブル基板１０Ｂａの端子部Ｔ下面をはんだ付け、導電性接着剤、もしくはコネクタを介して一体化する。
【００２６】
各フレキシブル基板１０Ａａ，１０Ｂａのフレキシブル部Ｆ長さは互いに異なっていて、巻かれた状態で内側になるフレキシブル基板１０Ａａは、外側になるフレキシブル基板１０Ｂａよりも短く形成されている。したがって、巻かれた状態で両方のフレキシブル基板１０Ａａ，１０Ｂａの他方の端子部Ｔは互いに略同一位置に揃えられる。
図６（Ｂ）は、同実施の形態の第１の変形例であり、第１のフレキシブル基板１０Ａａのフレキシブル部Ｆａは両端の端子部Ｔに対して直線状に形成され、第２のフレキシブル基板１０Ｂａのフレキシブル部Ｆｂは、端子部Ｔの側部から突出し、９０°偏向して直線状に形成される。
【００２７】
さらに、第１のフレキシブル基板１０Ａａのフレキシブル部Ｆは第２のフレキシブル基板１０Ｂａのフレキシブル部Ｆよりも短く形成されている。（なお、端子部Ｔに示すハッチング領域は、コネクタ実装領域を表す）
このような第１、第２のフレキシブル基板１０Ａａ，１０Ｂａを図７に示すように、フレキシブル部Ｆａ，Ｆｂが重なるように配置する。
上述したように、各フレキシブル部Ｆａ，Ｆｂ長さは互いに異なり、巻かれた状態で内側になる第１のフレキシブル基板１０Ａａは外側になる第２のフレキシブル基板１０Ｂａの長さよりも短く形成される。したがって、他方の端子部Ｔ相互は同一位置に揃えられ、それぞれにコネクタを実装できる。
【００２８】
また、必要に応じて第１のフレキシブル基板１０Ａａの端子部Ｔと第２のフレキシブル基板１０Ｂａの端子部Ｔの側部から９０°偏向して突出させたフレキシブル部を一体化させることも可能である。
同実施の形態のさらなる第３の変形例として図８（Ａ）に示すように、フレキシブル部Ｆａの両端に直線状に端子部ＴＡ１，ＴＡ２を形成した第１のフレキシブル基板１０Ａａとフレキシブル部ＦＢの一端に直線状に端子部ＴＢ１、もう一端は９０°偏向した端子部ＴＢ２を形成した第２のフレキシブル基板ＴＢａを図８（Ｂ）に示すように、フレキシブル部ＦａとＦｂを重ね、ＴＡ１とＴＡ２は上下にＴＡ２とＴＢ２は横に並んだ位置に揃えて、これぞれコネクタを実装させる。
【００２９】
そして、端子部ＴＡ１の下面と端子部ＴＢ１の上面をはんだ付け、導電性接着剤、もしくはコネクタを介して一体化し、端子部ＴＡ２の下面と端子部ＴＢ２から９０°偏向して突出させたフレキシブル部の上面を一体化させることも可能である。
図９（Ａ）はさらに他の実施の形態のフレキシブル基板１０Ｍの平面図であり、図９（Ｂ）は同フレキシブル基板１０Ｍの断面図を示す。
【００３０】
ここでは、両側端の端子部Ｔを共通化し、フレキシブル基板１０Ｍとして一体化した構成をなしている。
なお説明すれば、フレキシブル基板１０Ｍのフレキシブル部は、フレキシブル絶縁材ａ１の両面に信号パターンを設けたフレキシブル部ｆ１、フレキシブル絶縁材ａ２の下面にＧＮＤパターンを形成したフレキシブル部ｆ２からなり、フレキシブル部ｆ１とｆ２との間が中空になるようにすれば、通常の３層フレキシブル基板プロセスを用いることが可能である。
【００３１】
図９（Ａ）（Ｂ）に示すリジッド部Ｔａの構造は、フレキシブル絶縁材ａ１とａ２との間に間隔を設けた例である。
図１０（Ａ）は、さらに他の実施の形態として、図の左側の端子部Ｔａのみ一体化した構成であり、ここから長さの異なる複数のフレキシブル部Ｆ１，Ｆ２が延出されている。
【００３２】
図の右側の端子部Ｔ１，Ｔ２は、各フレキシブル部Ｆ１，Ｆ２に対応して設けられる。すなわち、先に図６、図７で説明した２つの実施の形態の折衷案のフレキシブル基板１０Ｎであってもよい。
図１０（Ｂ）は、上記実施の形態の変形例のフレキシブル基板１０Ｐである。図の左側の端子部Ｔａは一体化した構成で、長さの異なる複数のフレキシブル部Ｆ１，Ｆ２が延出されていることは、先に説明したものと同一である。
【００３３】
そして、上部側のフレキシブル部Ｆ１の図の右側端部には端子部Ｔ１が設けられるが、下部側のフレキシブル部Ｆ２の右側端部には端子部が設けられておらず、フレキシブル部Ｆ２の電極ｄが露出した状態となっている。
この場合、下部側のフレキシブル部Ｆ２の露出した電極ｄを、回路基板のＧＮＤパターンに直接あるいは半田付けしたり、上記電極ｄを挟むタイプのコネクタを用いる場合等に適用できる。あるいは、露出した電極ｄを上部側端子部Ｔ１に半田付けしたり、導電性接着剤で接続することもできる。
【００３４】
この実施の形態においても、各フレキシブル部Ｆ１，Ｆ２は、平面視で全く重なるように形成するか、あるいはフレキシブル部Ｆ１とＦ２の長さをどちらか一方が他方よりも長くなるように形成してもよい。
図１１（Ａ）は、さらに別の実施の形態としてのフレキシブル基板１０Ｑの断面図、図１１（Ｂ）はその平面図、図１１（Ｃ）は実装状態にあるフレキシブル基板１０Ｑの断面図である。
【００３５】
このフレキシブル基板１０Ｑは、図の中央部に設けられる端子部（以下、中央端子部と言う）Ｔｍを基準にして、この両側面から第１、第２のフレキシブル部１０Ａｄ，１０Ｂｄが互いに反対方向に延出される。そして、各フレキシブル部１０Ａｄ，１０Ｂｄの端部にはそれぞれ端子部Ｔが設けられる。
第１のフレキシブル部１０Ａｄは、柔軟なポリイミド樹脂材シートである絶縁層ａの両面にたとえばライン状の信号パターンｂが形成される。第２のフレキシブル部１０Ｂｄは、柔軟なポリイミド樹脂材シートである絶縁層ａの一面にベタもしくはメッシュ状のＧＮＤパターンｃが形成される。
【００３６】
第１のフレキシブル部１０Ａｄよりも第２のフレキシブル部１０Ｂｄの長さがより長く形成されている。この第２のフレキシブル部１０Ｂｄの幅寸法は、一部を除いて第１のフレキシブル部１０Ａｄの幅寸法と同一に形成される。
特に、第２のフレキシブル部１０Ｂｄにおいて、中央端子部Ｔｍの近傍位置のみ、中央端子部の幅寸法よりも大なる幅寸法の矩形状のシールド部１５が一体に設けられる。このシールド部１５の一面側に、ベタもしくはメッシュ状のＧＮＤパターンが形成される。
【００３７】
実際には、第２のフレキシブル部１０Ｂｄの中央端子部１５に沿う部分を折り返し、かつＧＮＤ形成側を内面側にして折り返される。そして、第２のフレキシブル部１０Ｂｄは中央端子部１５に重ね合わされ、かつ第１のフレキシブル部１０Ａｄと並行して延出され、この端子部Ｔに載った位置から突出する。
上記第２のフレキシブル部１０Ｂｄに形成されるシールド部ｃは、中央端子部１５を覆う。この中央端子部１５は、先に図３で説明したようにカメラ・モジュールＭとして組立てられた状態で、コネクタを介してカメラ基板１１に接続される。
【００３８】
したがって、上記シールド部ｃは中央端子部１５を介してカメラ基板１１までも覆うことになり、カメラ基板１１から生じるノイズが筐体５外部に漏出しようとしても、シールド部１５が中央端子部１５とカメラ基板１１を覆ってノイズの外部漏れを防止する。
さらに、別の実施の形態として、上述のカメラ・モジュールＭにおいて、筐体５内に取付け固定されるカメラ基板１１は、上記フレキシブル基板１０の一方の端部に設けられる端子部Ｔが代用するようにしてもよい。
【００３９】
このことから、別途、フレキシブル基板１０の端子部Ｔにコネクタ１３を取付け、このコネクタをカメラ基板１１の回路に接続する構成を簡略化でき、部品と接続手間の軽減を得られる。
具体的には、図１２（Ａ）（Ｂ）に示すカメラ・モジュールＭａの横断面図と、正面断面図となる。なお、図１２（Ｂ）には円筒状のホルダ８ｂの断面形状を示した。
すなわち、筐体５内に配置されるカメラ基板として、フレキシブル基板１０の端子部Ｔを代用している。したがって、上記端子部Ｔの下面にＣＣＤ等の撮像素子１２が取付けられている。
【００４０】
この場合、カメラ基板である端子部Ｔからフレキシブル部Ｆが回転軸方向に突出し、そのあと９０°向きを変えて筐体５の円筒状のホルダ８ｂに巻き付けられているので、フレキシブル部Ｆが回転軸方向に突出する部分、すなわち、筐体５からフレキシブル基板１０が延出する部分は、フレキシブル基板が筐体の回転軸に内包させるように配置しなければならない。
このことにより、フレキシブル基板１０の無駄な動きを抑え、耐久性を確保することができる。
【００４１】
したがって、筐体５の回転軸である円筒状のホルダ８ｂと端子部Ｔの位置を合わせる必要がある。フレキシブル基板の幅に対してフレキシブル部Ｆを巻き付ける円筒状ホルダ８ｂの直径が増大するのを防ぐために、たとえば、回転中心Ｏと端子部Ｔの厚さ方向の中心との位置ずれ量ｓが、±３．００ｍｍ以下となるように設定するが、当然、好ましくは回転中心Ｏと端子部Ｔ中心の位置ずれが全くないゼロの状態であるのが理想である。
なお、先に図３に示したように、フレキシブル基板１０とカメラ基板１１を一体に形成しない場合は、筐体５の回転軸とカメラ基板１１中心位置を合わせる必要がない。
すなわち、フレキシブル基板１０の端子部Ｔのサイズがカメラ基板１１と比較して格段に小さいので、フレキシブル基板１０の柔軟性を利用すれば筐体５のサイズを大きくすることなく、この円筒状のホルダ８ｂにフレキシブル基板１０を合わせることができる。
【００４２】
【発明の効果】
以上説明したように本発明によれば、フレキシブル基板の多層化に対応する一方で、フレキシブル基板の厚さが厚くならないようにして、柔軟性および回転機構の信頼性を保持し、サイズ増大を抑制したカメラ・モジュールと、このカメラ・モジュールを備えた電子機器を提供できる。
【図面の簡単な説明】
【図１】本発明の実施の形態に係る、電子機器である携帯電話の外観図。
【図２】同実施の形態に係る、カメラ・モジュールの斜視図。
【図３】同実施の形態に係る、カメラ・モジュールの概略の断面図。
【図４】同実施の形態に係る、第１のフレキシブル基板と第２のフレキシブル基板の平面図と断面図。
【図５】同実施の形態に係る、第１、第２のフレキシブル基板の巻回状態を概略的に示す図と、所定の部位に沿う断面図。
【図６】同実施の形態に係る、第１のフレキシブル基板と第２のフレキシブル基板の断面図と、互いに異なる事例の平面図と断面図。
【図７】同実施の形態に係る、第１、第２のフレキシブル基板の断面図。
【図８】互いに異なる実施の形態に係る、フレキシブル基板の断面図。
【図９】さらに異なる実施の形態に係る、フレキシブル基板の平面図と断面図。
【図１０】さらに異なる実施の形態に係る、互いに異なる事例のフレキシブル基板の断面図。
【図１１】さらに異なる実施の形態に係る、フレキシブル基板の断面図と、平面図および実装状態の断面図。
【図１２】さらに異なる実施の形態に係る、カメラ・モジュールの横断面図と正面断面図。
【符号の説明】
６…カメラレンズ、
５…筐体、
１１…カメラ基板、
１０…フレキシブル基板、
１０Ａ…第１のフレキシブル基板、
１０Ｂ…第２のフレキシブル基板。
【図１】
2004029652.tif 000003
【図２】
2004029652.tif 000004
【図３】
2004029652.tif 000005
【図４】
2004029652.tif 000006
【図５】
2004029652.tif 000007
【図６】
2004029652.tif 000008
【図７】
2004029652.tif 000009
【図８】
2004029652.tif 000010
【図９】
2004029652.tif 000011
【図１０】
2004029652.tif 000012
【図１１】
2004029652.tif 000013
【図１２】
2004029652.tif 000014